(57)【要約】【課題】廃棄プラスチックの砂、泥等を効率的に洗浄することができる廃棄プラスチックの洗浄装置を提供する。【解決手段】一端側に投入口を他端側に排出口を有するケーシング４には、軸８の回りに回転しうる複数のパドル７，７が収容される。ケーシング４の内面には、複数のパドル７，７の回転に伴って、廃棄プラスチックを投入口１から排出口２に向かって移動させるガイドブレード１１…が設けられる。ケーシング４内におけるパドル７，７の周囲又は周囲の一部には、メッシュ、多孔、又はスリットを有するスクリーン１０が設けられる。【選択図】      図１
2004216280.tif 000002
【特許請求の範囲】
【請求項１】
軸の回りに回転しうる少なくとも一つのパドルと、
前記パドルが収容され、前記軸の軸線方向における一端側に投入口を他端側に排出口を有するケーシングと、
前記ケーシングに設けられ、前記パドルの回転に伴って、廃棄プラスチックを前記投入口から前記排出口に向かって移動させるガイドブレードと、
回転する前記パドルの周囲又は周囲の一部に設けられ、メッシュ、多孔、又はスリットを有するスクリーンと、を備える廃棄プラスチックの洗浄装置。
【請求項２】
前記ケーシングに、前記パドルの回転に伴って廃棄プラスチックを切断しうる固定刃を設けることを特徴とする請求項１に記載の廃棄プラスチックの洗浄装置。
【請求項３】
前記ケーシングに、廃棄プラスチックに散水する散水機構を設けることを特徴とする請求項１又は２に記載の廃棄プラスチックの洗浄装置。
【請求項４】
前記ケーシングは、水を排出する第１の排出口、及び泥、砂等を排出する第２の排出口を有し、
前記ケーシング内に、水と泥、砂等とを分離・排出するスクリュコンベヤを設けることを特徴とする請求項１ないし３いずれかに記載の廃棄プラスチックの洗浄装置。
【請求項５】
請求項１ないし４いずれかに記載の洗浄装置を直列に２台使用し、１台目で洗浄を行い、２台目で脱水を行うことを特徴とする廃棄プラスチックの洗浄・脱水装置。
【発明の詳細な説明】
【０００１】
【発明の属する技術分野】
本発明は、廃棄プラスチックに付着した泥、砂等を洗浄する洗浄装置に関する。
【０００２】
【従来の技術】
近年廃棄プラスチックを回収し、回収プラスチックを再生利用可能な資源に転化することが行われている。廃棄プラスチックを再資源化するにあたって、廃棄プラスチックを洗浄して、砂、泥等の異物が除去される。
【０００３】
廃棄プラスチックのうち、特に農業用ビニールハウスで使用された廃棄農業用プラスチックフィルム、又は掘り起したプラスチックフィルムには多量の泥、砂が付着している。従来、このようなプラスチックフィルムを洗浄する方法として、水にプラスチックフィルムを浸漬し、洗濯機の原理で洗浄する方法が採用されていた。
【０００４】
【発明が解決しようとする課題】
しかし、洗濯機の原理で洗浄する方法では、装置が大型になり、また水を多量に使うので、泥の量も多く、水処理が大変になる。特に泥等の細かい粒子は沈殿し難いため、凝集剤の投与が必要になるだけでなく、沈殿した汚泥の廃棄も問題になる。また長物のフィルムがからみつくという問題も生じる。
【０００５】
このため、水処理を必要としない乾式洗浄が理想であるが、農業用プラスチックフィルム等のプラスチックフィルムは、湿っている場合、泥、砂等がべったりこびりついていることが多い。このため乾式洗浄の場合、まず乾燥が必要となる他、湿式洗浄に比べて、洗浄度が格段に落ちる。
【０００６】
洗浄の実用上の問題は如何に少量の水で泥、砂を落とすかにあると思われる。少量の水、すなわち泥、砂の濃度が高い場合、沈殿等が省略されるため、水処理が効率的になるからである。
【０００７】
また湿式洗浄共通の課題として、洗浄後のフィルムの乾燥がある。現在、遠心分離法が利用されているが、遠心分離機に入れて乾燥し、取り出すというバッチ的な処理になるので、効率が悪い。
【０００８】
そこで本発明は、廃棄プラスチックの砂、泥等を効率的に洗浄することができる廃棄プラスチックの洗浄装置を提供することを目的とする。
【０００９】
【課題を解決するための手段】
上記課題を解決するために、本発明の洗浄装置は、軸の回りに回転しうる少なくとも一つのパドルと、前記パドルが収容され、前記軸の軸線方向における一端側に投入口を他端側に排出口を有するケーシングと、前記ケーシングに設けられ、前記パドルの回転に伴って、廃棄プラスチックを前記投入口から前記排出口に向かって移動させるガイドブレードと、前記パドルの周囲又は周囲の一部に設けられ、メッシュ、多孔、又はスリットを有するスクリーンと、を備える。
【００１０】
前記ケーシングに、前記パドルの回転に伴って廃棄プラスチックを切断しうる固定刃を設けることが望ましい。
【００１１】
前記ケーシングに、廃棄プラスチックに散水する散水機構を設けることが望ましい。
【００１２】
前記ケーシングは、水を排出する第１の排出口、及び泥、砂等を排出する第２の排出口を有し、前記ケーシング内に、水と泥、砂等とを分離・排出するスクリュコンベヤを設けることが望ましい。
【００１３】
また本発明は、上記洗浄装置を直列に２台使用し、１台目で洗浄を行い、２台目で脱水を行うことを特徴とする廃棄プラスチックの洗浄・脱水装置としてもよい。
【００１４】
【作用】
投入口から投入された廃棄プラスチック（例えば被洗浄フィルム）は、回転するパドルにより、ケーシングの内面及びメッシュ、多孔、スリットを有するスクリーンに押し付けられ、これらとの摩擦により表面に付いている土砂、泥がこすりとられる。廃棄プラスチックはガイドブレードにより軸線方向に移動される。このとき廃棄プラスチックは、ガイドブレードに一部が引掛かり、ケーシング内部で撹拌され、これによりケーシング内面に新しい被洗浄面が形成される。またメッシュ、多孔、又はスリットを有するスクリーンは、廃棄プラスチックとの摩擦により常に目詰まりが解消される。
【００１５】
【発明の実施の形態】
図１は本発明の一実施形態における洗浄装置の斜視図を示す。この洗浄装置には、廃棄農業用プラスチックフィルム、掘り起したプラスチックフィルム等の砂、泥等の異物が付着した廃棄プラスチック（以下汚れプラスチックという）が投入される。これらの汚れプラスチックは長尺なのであらかじめ破砕機によって破砕される。汚れプラスチックは投入口１から投入され、洗浄された後、排出口２から排出される。
【００１６】
基礎フレーム３には、横型円筒のケーシング４がその軸線を水平方向に向けた状態で配置される。ケーシング４の上部の軸線方向の一端側には、汚れプラスチックが投入される投入口１が形成され、他端側には、洗浄されたプラスチックが排出される排出口２が形成される。またケーシング４の下部の軸線方向の一端側には、散水された水を排出する第１の排出口５が形成され、他端側には泥、砂等を排出する第２の排出口６が形成される。
【００１７】
図２乃至図４は洗浄装置の断面図を示す。図２はパドル７が固定される軸８の軸線に直交する鉛直面内での断面図を示し、図３及び図４はパドル７が固定される軸８の軸線に沿った鉛直面内での断面図を示す。ケーシング４には、水平方向に伸びる軸８が回転可能に支持される。軸８の回りには、放射状に複数の（この実施形態では例えば２枚の）パドル７，７が固定される。パドル７，７は、図３にも示すように、矩形の板状に形成され、ケーシング４内の軸８の略全長に渡って固定されている。軸８が図示しない駆動装置によって回転駆動され、これによりパドル７，７が軸８の回りに回転される。なおこの実施形態では、パドル７，７は、軸８の軸線に対して、傾けられることなく実質的に平行な面内に位置するように軸８に取り付けられているが、汚れプラスチックを軸線方向により移動させ易くするために、軸線に対して僅かに傾けられた状態で軸８に取り付けられても良い。
【００１８】
ケーシング４内のパドル７，７の下方には、回転するパドル７，７外周の円形状の軌跡に形状を合わせた断面半円弧状のスクリーン１０が設けられる。このスクリーン１０はメッシュからなり、回転するパドル７，７に干渉しないように、パドル７，７の外周の軌跡から所定の隙間を空けて配置される。この実施形態では、スクリーン１０は、回転するパドル７，７の周囲の一部（すなわち下側の半分）に設けられているが、周囲の全体に設けられてもよい。またスクリーン１０は、メッシュ以外に、多孔又はスリットを有するプレートから構成されてもよい。
【００１９】
図２及び図４に示すように、ケーシング４の内面には、複数のパドル７，７の回転に伴って、汚れプラスチックを投入口１から排出口２に向かって移動させる複数のガイドブレード１１…が設けられる。ガイドブレード１１…は、汚れプラスチックを軸線方向に移動できるように、鉛直面に対して所定角度傾けられている。また図２に示すように、軸８の軸線方向から見たガイドブレード１１…は、回転するパドル７，７の外周の軌跡に合わせた円弧形状をなし、また回転するパドル７、７に干渉しないようにパドル７，７から所定の隙間を空けて配置されている。
【００２０】
図２に示すように、ケーシング４の内面には固定刃１５が設けられる。この固定刃１５は、パドル７，７によって回転される汚れプラスチックをせん断力によって切断する。
【００２１】
図４に示すように、ガイドブレード１１…間には、ケーシング４内に投入された汚れプラスチックに散水する散水機構１２…が設けられる。散水機構１２…は散水パイプ１３（図２参照）に接続される。
【００２２】
図２及び図３に示すように、ケーシング４内のパドル７，７の下方には、水と泥、砂等を分離排出するスクリュコンベヤ１４が設けられる。スクリュコンベヤ１４は、その軸線が軸８の軸線と平行で、且つその周囲に螺旋状の案内羽根を設けた構造になっている。
【００２３】
投入口１から投入された汚れプラスチックは、回転するパドル７，７により、ケーシング４の内面及びメッシュからなるスクリーン１０に押し付けられる。汚れプラスチックは、これらとの摩擦により表面に付いている土砂、泥がこすりとられる。またパドル７，７の回転に伴い、汚れプラスチックはガイドブレード１１…により軸線方向に移動される。このとき汚れプラスチックは、ガイドブレード１１…に一部が引掛かり、ケーシング４の内部で撹拌され、これによりケーシング４の内面に新しい被洗浄面が形成される。ケーシング４の内面に固定刃１５を設けると、長物がひきちぎられるので、回転するパドル７，７への汚れプラスチックがからみつくことがない。またメッシュ、多孔、スリットを有するスクリーン１０は、汚れプラスチックとの摩擦により常に目詰まりが解消される。
【００２４】
また散水機構１２…からの少量の散水により、物理的にこすられ、剥ぎ取られた砂、泥、及び剥がれ易くなった砂、泥は、洗い流され、遠心力によりスクリーン１０の孔から排出される。
【００２５】
砂、泥等が剥ぎ取られたプラスチックは、ケーシング４の排出口２まで移動し、排出口２から排出される。一方、スクリーン１０の孔から排出された水、砂、泥等は、スクリュコンベヤ１４によって水と砂、泥等に分離される。分離された水は第１の排出口５から排出され、砂、泥等は第２の排出口６から排出される。
【００２６】
また上記洗浄装置を直列に２台使用し、１台目で洗浄を行い、２台目で脱水を行っても良い。この場合、１台目の洗浄装置では、上述したように汚れプラスチックの洗浄を行なう。そして、１台目の洗浄装置の排出口から排出された洗浄後のプラスチックは、２台目の洗浄装置の投入口に投入される。２台目の洗浄装置では、プラスチックに散水することなく、パドルを回転させて、プラスチックの脱水を行う。
【００２７】
なお本発明の洗浄装置は、廃棄農業用プラスチックフィルム、掘り起したプラスチックフィルム等の廃棄プラスチックフィルムを洗浄するのに限られることなく、家庭から排出される容器包装プラスチックフィルム、あるいはフィルム以外のボトル等の固形プラスチックを洗浄するのに用いられても良い。
【００２８】
【発明の効果】
以上説明したように、本発明の洗浄装置は、極めてシンプルな構造のため、堅牢、安価、且つ従来法に対して大幅な小型化も可能になり、実用性に優れている。
【図面の簡単な説明】
【図１】本発明の一実施形態における洗浄装置を示す斜視図。
【図２】洗浄装置の断面図（軸の軸線に直交する鉛直面内での断面図）。
【図３】洗浄装置の断面図（軸の軸線に沿った鉛直面内での断面図）。
【図４】洗浄装置の断面図（軸の軸線に沿った鉛直面内での断面図）。
【符号の説明】
１…投入口
２…排出口
４…ケーシング
５…第１の排出口
６…第２の排出口
７…パドル
８…軸
１０…スクリーン
１１…ガイドブレード
１５…固定刃
１２…散水機構
１４…スクリュコンベヤ
【図１】
2004216280.tif 000003
【図２】
2004216280.tif 000004
【図３】
2004216280.tif 000005
【図４】
2004216280.tif 000006